(57)【特許請求の範囲】
【請求項１】
楽曲の選択情報を入力する操作部と、
前記選択情報をカラオケ装置及びサーバに送信する選択情報送信部と、
前記サーバから、前記選択情報に対応する合成歌唱音生成装置の設定情報を受信する受信部と、
前記設定情報を合成歌唱音生成装置に送信する設定情報送信部と、を有し、
前記設定情報は、前記合成歌唱音生成装置の発声音を制御する発音制御データを含むことを特徴とする制御用端末装置。
【請求項２】
前記設定情報は、前記合成歌唱音生成装置の発音を制御する合成歌唱音生成用歌詞データを含む、請求項１に記載の制御用端末装置。
【請求項３】
前記合成歌唱音生成装置に設定されている音声源の種別情報を取得する識別情報取得部をさらに含み、
前記受信は、前記音声源の種別情報に基づいて、前記選択情報に対応する合成歌唱音生成装置の設定情報を受信する、請求項１に記載の制御用端末装置。
【請求項４】
選曲情報に対応する設定情報を受信する設定情報受信部と、
合成歌唱音を生成する合成歌唱音生成部と、
前記設定情報に含まれる合成歌唱音生成用歌詞データを前記合成歌唱音生成部に設定する歌詞設定部と、
前記設定情報に含まれる発音制御パラメータを前記合成歌唱音生成部に設定する発音制御パラメータ設定部と、を含み、
前記発音制御パラメータは、前記合成歌唱音の発声音を制御する発音制御データを含むことを特徴とする合成歌唱音生成装置。
【請求項５】
前記設定情報受信部は、前記設定情報を、選曲操作が行われる制御用端末装置から受信する、請求項４に記載の合成歌唱音生成装置。
【請求項６】
前記設定情報受信部は、前記設定情報をカラオケ装置から受信する、請求項４に記載の合成歌唱音生成装置。
【発明の詳細な説明】
【技術分野】
【０００１】
本発明は、合成歌唱音を生成する際の設定を変更する技術に関する。
【背景技術】
【０００２】
電子楽器において、歌唱音を生成し楽譜に合わせて演奏する技術が開発されている。このような歌唱音（実際の歌唱と区別して、以下、合成歌唱音という）を生成する装置（以下、「合成歌唱音生成装置」ともいう。）は、例えば、歌詞などの文字に応じた音声素片を組み合わせつつ、指定された音高になるように波形を合成することによって、その文字を発音したような合成音が生成される。従来は、予め用意した楽譜（シーケンスデータ等）と文字とを組み合わせて合成歌唱音を生成する技術が用いられていたが、合成歌唱音生成装置への演奏操作に応じてリアルタイムに合成歌唱音を生成していく技術も開発されている（例えば、特許文献１、２参照）。
【先行技術文献】
【特許文献】
【０００３】
【特許文献１】特開２００８−１７０５９２号公報
【特許文献２】特開２０１４−０６２９６９号公報
【発明の概要】
【発明が解決しようとする課題】
【０００４】
ところで、カラオケでは、歌唱したい曲の伴奏音を出力する装置を用いることによって、自らがその曲を歌唱して楽しむ。一方、特許文献１、２に開示される電子楽器のように、演奏操作に応じてリアルタイムに歌唱音声を生成することができるようになってきたことにより、カラオケにおいて、自分の歌唱音声の代わりに合成歌唱音を用いたいという要望がでてきている。
【０００５】
自分の歌唱音声であれば事前の準備がなくともカラオケ装置が備えられた部屋で気軽にカラオケを楽しむことができる。一方、特許文献１、２で開示される技術では、予め歌詞の文字列を合成歌唱音生成装置に登録しておくなどの様々な事前設定が必要であり、気軽にカラオケを楽しむことができなかった。また、合成歌唱音生成装置によって合成歌唱音を表現豊かに演奏するには、カラオケの選曲に合わせてその都度、効果音を調整する細かい設定をする必要があった。そのため、合成歌唱音生成装置を用いてカラオケを楽しむ場合においても、気軽にカラオケを楽しむことができるように、合成歌唱音を生成するための設定を容易にして利便性を高めることが望まれている。
【０００６】
本発明の目的の一つは、カラオケにおいて、合成歌唱音を生成する装置の利便性を高めることにある。
【課題を解決するための手段】
【０００７】
本発明の一実施形態によれば、楽曲の選択情報を入力する操作部と、選択情報をカラオケ装置及びサーバに送信する選択情報送信部と、サーバから選曲情報に対応する合成歌唱音生成装置の設定情報を受信する受信部と、設定情報を合成歌唱音生成装置に送信する設定情報送信部とを有する制御用端末装置が提供される。
【０００８】
本発明の一実施形態において、制御用端末装置は、合成歌唱音生成装置に設定されている音声源の種別情報を取得する識別情報取得部をさらに含み、設定情報取得部は音声源の種別情報に基づいて選曲情報に対応する合成歌唱音生成装置の設定情報を取得してもよい。
【０００９】
本発明の一実施形態によれば、選曲情報に対応する設定情報を受信する設定情報受信部と、合成歌唱音を生成する合成歌唱音生成部と、設定情報に含まれる合成歌唱音生成用歌詞データを合成歌唱音生成部に設定する歌詞設定部と、設定情報に含まれる発音制御パラメータを合成歌唱音生成部に設定する発音制御パラメータ設定部とを含む合成歌唱音生成装置が提供される。
【００１０】
本発明の一実施形態において、合成歌唱音生成装置は、音源部に設定されている音源の種別を識別する識別情報を出力する出力部をさらに有し、設定情報受信部は発音源の種別情報に基づいて選曲情報に対応する合成歌唱音生成装置の設定情報を受信してもよい。
【発明の効果】
【００１１】
本発明の一実施形態によれば、カラオケ装置が伴奏する楽曲の選択情報に合わせて、合成歌唱音生成装置の設定情報を連動して取得することで、利用者の利便性を高めることができる。
【図面の簡単な説明】
【００１２】
【図１】本発明の一実施形態に係るカラオケシステムの構成を示す図である。
【図２】本発明の一実施形態に係るカラオケ装置の構成を示す図である。
【図３】本発明の一実施形態に係る制御用端末装置の構成を示す図である。
【図４】本発明の一実施形態に係る合成歌唱音生成装置の構成を示す図である。
【図５】本発明の一実施形態に係るカラオケ装置の機能的構成を示す図である。
【図６】本発明の一実施形態に係る制御用端末装置の機能的構成を示す図である。
【図７】本発明の一実施形態に係る合成歌唱音生成装置の機能的構成を示す図である。
【図８】本発明の一実施形態に係る合成歌唱音生成部における処理を説明するフローチャートである。
【図９】本発明の一実施形態に係る合成歌唱音生成装置の機能的構成を示す図である。
【図１０】本発明の一実施形態に係る制御用端末装置、合成歌唱音生成装置、カラオケ装置、歌唱合成サーバの動作フローを示す図である。
【図１１】本発明の一実施形態に係る制御用端末装置、合成歌唱音生成装置、カラオケ装置、歌唱合成サーバの動作フローを示す図である。
【図１２】本発明の一実施形態に係るカラオケシステムの構成を示す図である。
【図１３】本発明の一実施形態に係る制御用端末装置、合成歌唱音生成装置、カラオケ装置、歌唱合成サーバの動作フローを示す図である。
【図１４】本発明の一実施形態に係るカラオケシステムの構成を示す図である。
【図１５】本発明の一実施形態に係る制御用端末装置、合成歌唱音生成装置、カラオケ装置、歌唱合成サーバの動作フローを示す図である。
【発明を実施するための形態】
【００１３】
以下、本発明の一実施形態に係るカラオケシステムについて、図面を参照しながら詳細に説明する。以下に示す実施形態は本発明の実施形態の一例であって、本発明はこれらの実施形態に限定されるものではない。また、本明細書と各図において、既出の図に関して前述したものと同様の要素には、同一の符号を付し、当該要素の詳細な説明を適宜省略することがある。
【００１４】
［第１実施形態］
＜全体構成＞
図１は、本実施形態に係るカラオケシステム１００ａの構成を示す。カラオケシステム１００ａは、カラオケ装置１０２、制御用端末装置１０４、カラオケ用サーバ１０６、歌唱合成用サーバ１０８が含まれている。図１で示す例では、カラオケ装置１０２、制御用端末装置１０４、カラオケ用サーバ１０６及び歌唱合成用サーバ１０８は、インターネットなどの電気通信回線１１０を介して接続されている。なお、電気通信回線とは、有線、無線その他の電磁的方式により、符号、音響又は映像を送り、伝え又は受ける機能を発現する設備及び概念を指す。
【００１５】
合成歌唱音を生成する合成歌唱音生成装置１１２は、カラオケシステム１００ａで使用可能とされている。利用者は合成歌唱音生成装置１１２を用い、カラオケ装置１０２による楽曲の伴奏音に合わせて、合成歌唱音を発音させて演奏を楽しむことができる。
【００１６】
制御用端末装置１０４は、カラオケ装置１０２を操作するリモコンとしての機能を有する。制御用端末装置１０４は、カラオケ装置１０２に付属するリモコンセットの他、スマートフォン、タブレット型端末、ノート型パーソナルコンピュータ等の携帯端末装置、デスクトップ型パーソナルコンピュータ等の端末装置によって同様の機能が実現されてもよい。スマートフォンなどのコンピュータである場合には、制御プログラムをインストールして実行することによって、以下に説明する制御用端末装置１０４の機能が実現されてもよい。本実施形態では、制御用端末装置１０４は、カラオケ装置１０２及び合成歌唱音生成装置１１２に対して、電気通信回線を介さずに短距離無線通信によって接続され得る。短距離無線通信とは、例えば、Ｂｌｕｅｔｏｏｔｈ（登録商標）、赤外線通信、ＬＡＮ（Local Area Network）などを用いた通信手段である。また、制御用端末装置１０４は、カラオケ装置１０２及び合成歌唱音生成装置１１２に対して、電気通信回線を介した通信によって接続されてもよい。
【００１７】
カラオケ用サーバ１０６は、カラオケ装置１０２においてカラオケを提供するために必要な楽曲データを、楽曲ＩＤに対応付けて記憶している記憶装置を備える。楽曲データは、カラオケの歌唱曲に関連するデータ、例えば、ガイドメロディデータ、伴奏データ、歌詞データなどが含まれている。ガイドメロディデータは、歌唱曲のメロディを示すデータである。伴奏データは、歌唱曲の伴奏を示すデータである。ガイドメロディデータ及び伴奏データは、ＭＩＤＩ形式で表現されたデータであってもよい。歌詞データは、歌唱すべき歌詞（文字）を規定するデータである。また、歌唱データに基づいて表示される歌詞テロップを色替えするタイミングを示すタイミングデータが含まれていてもよい。このタイミングデータによれば、歌唱曲の進行位置と、その進行位置において歌唱すべき歌詞の対応付けができる。
【００１８】
歌唱合成用サーバ１０８は、歌唱曲に合わせた設定情報を合成歌唱音生成装置１１２に対して提供する。歌唱合成用サーバ１０８は、合成歌唱音生成装置１１２に提供する設定情報を楽曲ＩＤに対応付けて記憶している記憶装置を備える。設定情報には、楽曲ＩＤに対応する歌唱曲の合成歌唱音生成用の歌詞データ（以下、「合成歌唱音生成歌詞データ」ともいう。）が含まれている。設定情報は、合成歌唱音生成歌詞データの他に、合成歌唱音生成装置１１２から出力される合成歌唱音の音色を調整する発音制御パラメータに対する各種データ（以下、「発音制御データ」ともいう。）が含まれている。なお、発音制御パラメータの詳細は後述する。すなわち、本明細書において「設定情報」とは、合成歌唱音生成用の歌詞データ及び／又は、合成歌唱音生成装置１１２から出力される合成歌唱音の音色を調整する発音制御パラメータに対する各種データを含むものとする。
【００１９】
なお、歌唱合成用サーバ１０８に記憶されている合成歌唱音生成歌詞データと、カラオケ用サーバ１０６に記憶されている歌詞データとは、同じであってもよいし、異なっていてもよい。すなわち、歌唱合成用サーバ１０８に記憶されている合成歌唱音生成歌詞データは、歌唱すべき歌詞（文字）を規定するデータである点においてはカラオケ用サーバ１０６に記憶されている歌詞データと同じであるが、合成歌唱音生成装置１１２において利用しやすい形式に調整されている。この形式としては、例えば、１音で２文字分の歌唱をする場合を識別する情報、フレーズの区切りを識別する情報などを含む場合がある。また、歌詞データにおいて例えば「わたしは」と表記される場合に、合成歌唱音生成歌詞データでは「わたしわ」と発音文字に変換されている。
【００２０】
次に、カラオケ装置１０２、制御用端末装置１０４及び合成歌唱音生成装置１１２について、ハードウエア構成を説明する。
【００２１】
＜カラオケ装置のハードウエア構成＞
図２は、本実施形態に係るカラオケ装置１０２の構成をブロック図で示す。カラオケ装置１０２は、制御部１１４、記憶部１１６、操作部１１８、表示部１２０、通信部１２２、及び信号処理部１２４を含む。これらの各部は、バスを介して接続されている。また、信号処理部１２４には、オーディオ信号の入力を受け付ける入力端子１２６及びスピーカ１２８が接続されている。入力端子１２６に入力されるオーディオ信号は、歌唱に用いるマイクロフォンが接続されたり、合成歌唱音生成装置１１２のオーディオ出力端子と接続されたりする。
【００２２】
制御部１１４は、ＣＰＵなどの演算処理回路を含む。制御部１１４は、記憶部１１６に記憶された制御プログラムをＣＰＵにより実行して、各種機能をカラオケ装置１０２において実現する。実現される機能の一部（カラオケ機能）については別途説明される。記憶部１１６は、不揮発性メモリ、ハードディスク等の記憶媒体によって実現される。記憶部１１６は、上記の制御プログラムを記憶する。制御プログラムはネットワーク経由でダウンロードされてもよいが、磁気記録媒体、光記録媒体、光磁気記録媒体、半導体メモリなどのコンピュータ読み取り可能な記録媒体に記憶した状態で提供されてもよい。以下に説明する制御端末装置及び合成歌唱音生成装置１１２で用いられる制御プログラムについても同様に提供されてもよい。また、記憶部１１６は、カラオケ用サーバ１０６からダウンロードした楽曲データを一時的に記憶するバッファとしても使用される。
【００２３】
操作部１１８は、操作パネルなどの装置であり、入力された操作に応じた信号を制御部１１４に出力する。表示部１２０は、液晶ディスプレイ、有機ＥＬディスプレイ等の表示装置であり、制御部１１４による制御に基づいた画面が表示される。なお、操作部１１８と表示部１２０とは一体としてタッチパネルを構成してもよい。通信部１２２は、制御部１１４の制御に基づいて、電気通信回線１１０を介して外部装置に接続したり、短距離無線通信によって制御用端末装置１０４と接続したりする。また、通信部１２２は、合成歌唱音生成装置１１２と近距離無線通信によって接続し、情報を送信する機能を有していてもよい。
【００２４】
信号処理部１２４は、ＭＩＤＩ形式の信号からオーディオ信号を生成する音源、Ａ／Ｄコンバータ、Ｄ／Ａコンバータ等を含む。入力端子１２６から入力されたオーディオ信号は信号処理部１２４に出力され、信号処理部１２４においてＡ／Ｄ変換されて制御部１１４に出力される。入力されたオーディオ信号は、記憶部１１６にバッファされて、歌唱の評価等に用いられてもよい。また、伴奏データは、制御部１１４によって読み出され、信号処理部１２４においてオーディオ信号に変換され、スピーカ１２８から歌唱曲の伴奏音として出力される。このとき、入力端子１２６に入力されたオーディオ信号も、伴奏音に合成されて出力される。
【００２５】
＜制御端末装置のハードウエア構成＞
制御用端末装置１０４は、カラオケ装置１０２に対する制御（例えば、歌唱曲の指定、音量、トランスポーズ等）を実行し、合成歌唱音生成装置１１２に対する制御（例えば、歌詞の設定、音色等の設定等）を実行する。
【００２６】
図３は、本実施形態に係る制御用端末装置１０４の構成をブロック図で示す。制御用端末装置１０４は、制御部１４０、記憶部１４２、操作部１４４、表示部１４６、選択情報送信部１４８、受信部１５０、設定情報送信部１５２を含む。これらの各構成は、バスを介して接続されている。
【００２７】
制御部１４０は、ＣＰＵなどの演算処理回路を含む。制御部１４０は、記憶部１４２に記憶された制御プログラムをＣＰＵにより実行し、各種機能を制御用端末装置１０４において実現させる。実現される機能の一部（設定制御機能）については別途説明される。記憶部１４２は、不揮発性メモリ、ハードディスク等の記憶媒体によって実現される。記憶部１４２は、上記の制御プログラムを記憶する。
【００２８】
操作部１４４は、操作パネルなどの装置であり、入力された操作に応じた信号を制御部１４０に出力する。表示部１４６は、液晶ディスプレイ、有機ＥＬディスプレイ等の表示装置であり、制御部１４０による制御に基づいた画面が表示される。なお、操作部１４４と表示部１４６とは一体としてタッチパネルを構成してもよい。
【００２９】
選択情報送信部１４８は、短距離無線通信によってカラオケ装置１０２及び合成歌唱音生成装置１１２と接続する。また、選択情報送信部１４８は、電気通信回線１１０を介して歌唱合成用サーバ１０８と接続する。選択情報送信部１４８は、操作部１４４で入力された情報、特に楽曲を選択するための選択情報（楽曲ＩＤ）を、カラオケ装置１０２及び合成歌唱音生成装置１１２に送信する。また、選択情報送信部１４８は、歌唱合成用サーバ１０８に選択情報（楽曲ＩＤ）等を送信する。受信部１５０は、歌唱合成用サーバ１０８から合成歌唱音生成装置１１２の設定情報を受信する。設定情報送信部１５２は、設定情報を合成歌唱音生成装置１１２に送信する。
【００３０】
＜合成歌唱音生成装置のハードウエア構成＞
合成歌唱音生成装置１１２は、演奏操作子の操作に応じて、設定内容に従って合成歌唱音を生成する。
【００３１】
図４は、本実施形態に係る合成歌唱音生成装置１１２の構成をブロック図で示す。合成歌唱音生成装置１１２は、制御部１６８、記憶部１７０、操作部１７２、表示部１７４、通信部１７８、インターフェイス部１８０、演奏操作子１８２を含む。また、合成歌唱音生成装置１１２は、それ自体から発音が可能なように、増幅部１８４及び増幅部１８４で増幅された合成歌唱音を拡声するスピーカ１８６を備えていてもよい。または、合成歌唱音生成装置１１２は、生成された合成歌唱音をインターフェイス部１８０を介してカラオケ装置１０２の入力端子１２６に接続され、スピーカ１２８から出力されてもよい。
【００３２】
制御部１６８は、ＣＰＵなどの演算処理回路を含む。制御部１６８は、記憶部１７０に記憶された制御プログラムをＣＰＵにより実行して、各種機能を合成歌唱音生成装置１１２において実現させる。実現される機能の一部については別途説明される。記憶部１７０は、揮発性メモリ、不揮発性メモリ等の記憶媒体によって実現される。記憶部１７０は、上記の制御プログラムを記憶する。また、記憶部１７０は、合成歌唱音を示すオーディオ信号を生成する際に用いる設定情報（合成歌唱音生成歌詞データ、発音制御データ等）、合成歌唱音を生成するための音声素片データ等を記憶する。なお、この音声素片データは、合成歌唱音の種類を示す。以下の説明では合成歌唱音の種類は、男性音声、女性音声等の種別、年齢（子供声、大人声）に対する種別、言語による種別（日本語、英語等）、またはこれらの組み合わせ等、様々な音声の種類が含まれる。
【００３３】
操作部１７２は、スイッチ、ボリュームつまみなどの装置であり、入力された操作に応じた信号を制御部１６８に出力する。表示部１７４は、液晶ディスプレイ、有機ＥＬディスプレイ等の表示装置であり、制御部１６８による制御に基づいた画面が表示される。なお、操作部１７２と表示部１７４とは一体としてタッチパネルを構成してもよい。通信部１７８は、制御部１６８の制御に基づいて制御用端末装置１０４と接続する。
【００３４】
インターフェイス部１８０は、生成されたオーディオ信号を出力する端子を含む。演奏操作子１８２は、は鍵盤（キーボード）などによって構成される。また、演奏操作子１８２は、弦楽器のように張弦された構成を有していてもよい。演奏者は演奏操作子１８２を操作することにより発音を制御し演奏をする。演奏操作子１８２を操作すると、その操作に応じた演奏信号が制御部１６８に出力される。例えば、演奏操作子１８２が鍵盤である場合、演奏信号は操作された鍵の位置を示す情報（キーナンバ）、押鍵したことを示す情報（キーオン）、離鍵したことを示す情報（キーオフ）、及び押鍵速度（ベロシティ）等を含む。具体的には、押鍵されると、キーオン、ベロシティ及びキーナンバが対応付けられて出力され、離鍵するとキーオフが出力される。制御部１６８は、この演奏信号を用いて、合成歌唱音を生成する。合成歌唱音はオーディオ出力として、インターフェイス部１８０から他の機器（例えば、カラオケ装置１０２）に出力される。また、合成歌唱音は増幅部１８４で増幅され、スピーカ１８６から出力されてもよい。
【００３５】
合成歌唱音生成装置１１２は、音色（生成する合成歌唱音の種類）が変更可能な場合と、変更できない場合とがある。この違いは、制御プログラムによって実現される機能によって異なる。この違いについては、合成歌唱音生成装置１１２の機能の説明において詳細を述べる。
【００３６】
次に、カラオケ装置１０２、制御用端末装置１０４及び合成歌唱音生成装置１１２のそれぞれにおいて、制御プログラムを実行することによって実現される機能について説明する。なお、以下に説明する各機能を実現する構成の一部または全部は、ハードウエアによって実現されてもよい。これらの機能によって、利用者は、対象となる楽曲を指定し、合成歌唱音生成装置１１２にその楽曲に応じた設定情報を得ることができる。
【００３７】
＜カラオケ装置の機能＞
図５は、本発明の一実施形態に係るカラオケ装置で実現される機能ブロック図を示す。カラオケ機能１３０は、選曲部１３２、伴奏音再生部１３４、歌詞表示部１３６、及び採点部１３８を含む。選曲部１３２の機能は、制御用端末装置１０４によって指定された歌唱曲の楽曲ＩＤを取得して、カラオケ用サーバ１０６から楽曲ＩＤに対応した楽曲データを取得する。選曲部１３２によって取得された楽曲データのうち、伴奏データは伴奏音再生部１３４に提供され、歌詞データは歌詞表示部１３６に提供される。伴奏音再生部１３４の機能は、伴奏データに基づいて、伴奏音を生成してスピーカ１２８から発音させる。歌詞表示部１３６の機能は、歌詞データに基づいて表示部１２０に歌詞を表示する。この際、歌詞とともに、楽曲の進行に合わせて歌唱すべき位置を示す情報（ワイプ等）についても表示される。
【００３８】
採点部１３８の機能は、入力されたオーディオ信号の評価を実施して，評価に応じた評価点を算出する。算出された評価点は、表示部１２０に表示される。この評価は、例えば以下の通り実施される。まず、オーディオ信号から合成歌唱音（合成歌唱音生成装置１１２から取得した場合）または歌唱音声（マイクロフォンから取得した場合）の音高の時間変化を算出し、ガイドメロディの音高と比較する。そして、これらの音高の一致の程度に基づいて評価点が算出される。この音高は、例えば、オーディオ信号の波形のゼロクロスを用いた方法、ＦＦＴ（Fast Fourier Transform）を用いた方法などの公知の方法で算出されればよい。
【００３９】
＜制御端末装置の機能＞
図６は、本実施形態に係る制御用端末装置１０４で実現される機能ブロック図を示す。設定制御機能１５４は、曲指定部１５６、歌詞データ取得部１５８、設定情報取得部１６０、歌詞データ提供部１６２及び設定情報提供部１６４を含む。また、設定制御機能１５４は、識別情報取得部１６６を含んでいてもよい。すなわち、制御用端末装置１０４は、設定制御機能１５４を備えた制御装置ということもできる。設定制御機能１５４を実現する各部の機能は以下のとおりである。
【００４０】
曲指定部１５６の機能は、カラオケとして楽しむ歌唱曲の指定を利用者から受け付け、その歌唱曲を特定する楽曲ＩＤをカラオケ装置１０２に対して通知する。識別情報取得部１６６の機能は、合成歌唱音生成装置１１２の型式番号、設定されている音声源（音声素片データ）等の識別情報を取得する。制御用端末装置１０４は、識別情報に基づいて合成歌唱音生成装置１１２に適した設定情報を歌唱合成用サーバ１０８から取得する機能を有する。
【００４１】
歌詞データ取得部１５８の機能は、歌唱曲の楽曲ＩＤに対応する歌詞データを取得する。歌詞データ取得部１５８の機能は、合成歌唱音生成用歌詞データを歌唱合成用サーバ１０８から取得する。なお、カラオケ装置１０２において用いる歌詞データを合成歌唱音生成装置１１２において用いることが可能である場合もある。この場合には、歌詞データ取得部１５８は、カラオケ用サーバ１０６から歌詞データを取得するようにしてもよいし、カラオケ装置１０２から取得するようにしてもよい。
【００４２】
設定情報取得部１６０の機能は、歌唱合成用サーバ１０８から曲指定部１５６で指定された楽曲に対し、合成歌唱音生成装置１１２で演奏するのに適した設定情報を取得する。設定情報には、合成歌唱音生成装置１１２から出力される合成歌唱音の音響効果を設定する発音制御パラメータ等の情報が含まれる。
【００４３】
歌詞データ提供部１６２の機能は、歌詞データ取得部１５８において取得した合成歌唱音生成用歌詞データを合成歌唱音生成装置１１２に提供する。また、設定情報提供部１６４の機能は、設定情報取得部１６０において取得した設定情報を合成歌唱音生成装置１１２に提供する。制御用端末装置１０４は、設定制御機能１５４を有することにより、合成歌唱音生成装置１１２に合成歌唱音生成用歌詞データ及び演奏効果を高める設定情報を提供することができる。
【００４４】
＜合成歌唱音生成装置の機能＞
合成歌唱音生成装置１１２の機能について説明する。上述したように、合成歌唱音生成装置１１２は、音色の設定変更ができない装置（第１の例）、音色の設定変更が可能な装置（第２の例）について説明する。
【００４５】
＜第１の例（設定変更不可）＞
図７は、本実施形態に係る合成歌唱音生成装置１１２の第１の例で実現される機能ブロック図を示す。合成歌唱音生成機能１８８ａは、設定情報受信部１９０、歌詞データ受信部１９１、発音制御パラメータ設定部１９２、歌詞設定部１９６、合成歌唱音生成部１９８、音声源記憶部２００、識別情報出力部２０２、合成音声出力部２０４、発音制御情報記憶部２０６を含む。すなわち、合成歌唱音生成装置１１２は、合成歌唱音生成機能１８８ａを備えた合成歌唱音生成装置を含んでいることになる。
【００４６】
歌詞データ受信部１９１の機能は、歌詞データ提供部１６２から合成歌唱音生成用歌詞データを受信し、歌詞設定部１９６に出力する。歌詞設定部１９６は、合成歌唱音生成用歌詞データを合成歌唱音生成部１９８に設定する。
【００４７】
設定情報受信部１９０の機能は、制御用端末装置１０４から設定情報を取得する。設定情報は選択された楽曲を合成歌唱音生成装置１１２で演奏するときに音響効果を与える各種設定情報が含まれている。設定情報には、発音制御パラメータを設定するデータが含まれている。発音制御パラメータ設定部１９２は、合成歌唱音生成部１９８において使用される発音制御パラメータを合成歌唱音生成部１９８に設定する。
【００４８】
発音制御パラメータは、合成歌唱音生成装置１１２から出力される合成歌唱音にリバーブ、ビブラート等を与え、表情を付けるデータを含む。発音制御パラメータとしては、例えば、ベロシティ、ダイナミクス、ブレシネス（息量）、ブライトネス、クリアネス、オープニング（口の開き具合）、ジェンダーファクター、ポルタメントポジション、ピッチベンド、ピッチベンドセンシビティなどが含まれる。
【００４９】
音響効果を演出する上記発音制御パラメータは、それぞれ異なる機能及び合成歌唱音への効果を有している。ベロシティは子音の発音の長さ及び強さを調整し声の立ち上がりを早くすることができ、リズミカルな曲に合わせて設定する。ダイナミクスは音量を設定すると同時に、 中高音域を増強し聴感上の発声強度を指定する。ブレシネスはノイズ成分の割合を増加させて声の擦れた感じを演出するのに用いられる。ブライトネスは母音部の中高音域成分を制御して明るい感じを演出するのに用いられる。クリアネスは高音域の成分を制御し、透き通った感じを演出するのに用いられる。オープニングは中音域の成分を制御し、口の開き方を変えたような効果を演出する。ジェンダーファクターは声道の長さを変化させ、 年齢、性別による声の違いを作り出すことができる。ポルタメントポジションは音程変化のタイミングを前後させて演出したいときに用いられる。ピッチベンドとピッチベンドセンシビティは、対になったパラメータで、任意のカーブで音程を変化させ、ビブラートのような効果、音程変化のような効果を演出するのに用いることができる。発音が行われている際にこれらのパラメータを変化させることにより、合成歌唱音に変化を与えることができる。本発明においては、合成歌唱音生成用歌詞データに含まれる歌詞の文字と対応付けて、どのパラメータをどの程度変化させるかを規定したものを発音制御データとし、当該文字の発音中に発音制御データを参照することによって発音状態を制御できる。
【００５０】
音声源記憶部２００には、音声素片データが記憶されている。音声素片データは、例えば人間の歌唱音声又は音声をサンプリングした音声素片である。音声素片データは、取得基である人間の声により個性を有し、発音できる音域や音色が異なっている。音声素片データは、例えば、男性及び女性の性別、年齢、音域（バス、バリトン、テノール、メゾソプラノ、アルト、ソプラノ）によって個性付けられている。また、音声素片データは、音素連鎖データと定常部分データが記憶されている。音素連鎖データは、無音から子音、子音から母音、母音から（次の文字の）子音または母音など、発音が変化する際の音素片のデータである。また、定常部分データは、母音の発音が継続する際の音素片のデータである。
【００５１】
識別情報出力部２０２の機能は、音声源記憶部２００に記憶されている音声素片データを識別する情報を出力する。識別情報は音声素片データを識別するデータを含み、例えば、製品番号のような識別コード、バージョン情報などにより構成されていてもよい。識別情報は、音声素片データを用いて合成される合成歌唱音の音色（性別、年齢、声質）、発音可能な音域（バス、バリトン、テノール、メゾソプラノ、アルト、ソプラノ）等を種別する。
【００５２】
合成歌唱音生成部１９８の機能は、歌詞設定部１９６によって設定された合成歌唱音生成用歌詞データを演奏操作情報出力部２０８からの出力に同期して読み出す。また、合成歌唱音生成用歌詞データの文字に対応する音声を、音声源記憶部２００に記憶されている音声素片データから必要な音声素片を適宜読み出し、当該音声素片を連結して合成音声する。このとき、合成音声の音高は、演奏操作情報出力部２０８から出力されるキーの高さに設定される。合成歌唱音生成部１９８は、さらに発音制御パラメータ設定部１９２によって設定された発音制御パラメータに基づき合成音声に変化を与える。演奏操作情報出力部２０８から出力が連続することで、連続的な合成歌唱音が生成される。
【００５３】
発音制御情報記憶部２０６の機能は、合成歌唱音生成部１９８に設定された発音制御パラメータを含む設定情報を記憶する。発音制御情報記憶部２０６において、発音制御パラメータを含む設定情報は楽曲ＩＤと関連付けて記憶されていてもよい。合成歌唱音生成部１９８は、また、発音制御情報記憶部２０６に記憶されている発音制御パラメータを含む設定情報を読み出して、設定データとして用いることができる。
【００５４】
合成歌唱音生成部１９８における合成歌唱音の生成処理について、概要を簡単に説明する。なお、合成歌唱音生成装置を用いて合成歌唱音を生成する技術については、例えば、上記の特許文献１（特開２００８−１７０５９２号公報）、特許文献２（特開２０１４−６２９６９号公報）に開示されている。
【００５５】
＜合成歌唱音の生成処理＞
図８は、本実施形態に係る合成歌唱音生成部における処理を説明するフローチャートである。合成歌唱音生成部１９８に歌詞データが設定されると、図８に示す処理が開始される。まず、合成歌唱音生成部１９８は、設定された合成歌唱音生成用歌詞データが示す歌詞の最初の文字を指定する（Ｓ２０１）。指定されている文字とその前後の文字とがそれぞれ区別されて表示部１７４に表示されていてもよい。演奏操作子１８２から出力される演奏信号により、演奏操作（押鍵）が行われるのを待つ（Ｓ２０３において「Ｎ」の場合）。
【００５６】
演奏操作が行われた場合（Ｓ２０３において「Ｙ」の場合）、制御部１６８は、演奏操作子１８２の指定音高情報を取得し（Ｓ２０５）、記憶部１７０に記憶された合成歌唱音生成用歌詞データから指定文字を読み出し（Ｓ２０７）、音声源記憶部２００から必要な音声素片データを読み出す（Ｓ２０９）。そして、読み出した文字を発声させるための合成歌唱音を示すオーディオ信号を生成する（Ｓ２１１）。例えば、読み出した文字が「か（ｋａ）」であり、演奏操作された鍵が「Ｃ４」である場合には、Ｃ４の音高で「か（ｋａ）」を発声させる合成歌唱音が生成される。さらに、設定された発音と音高に発音制御パラメータに基づいて発音効果を与える（Ｓ２１３）。
【００５７】
指定されている文字（読み出した文字）が歌詞の最後の文字ではない場合（Ｓ２１５において「Ｎ」の場合）、次の文字を指定して（Ｓ２１７）、次の演奏操作を待つ（Ｓ２０３）。歌詞データに従って、順次、次の文字が指定されていき、最後の文字になった場合（Ｓ２１５で「Ｙ」の場合）、合成歌唱音の生成処理は終了する。このようにすることによって、演奏操作に応じた音高に調整された歌詞が順次発声される合成歌唱音が生成される。そして、合成歌唱音を示すオーディオ信号がカラオケ装置１０２に対して出力され、または合成歌唱音生成装置１１２から発音される。なお、操作部１７２等に対する所定の操作を受け付けると、強制的に次の文字が指定されるようにしてもよい。また、歌詞をフレーズ単位で区分する情報を取得している場合には、所定の操作を受け付けると、いずれかのフレーズ（直前または直後など）の最初の文字が強制的に指定されるようにしてもよい。
【００５８】
＜第２の例（設定変更可能）＞
図９は、本発明の一実施形態に係る合成歌唱音生成装置の第２の例で実現される機能ブロック図を示す。合成歌唱音生成機能１８８ｂは、設定情報受信部１９０、歌詞データ受信部１９１、発音制御パラメータ設定部１９２、歌詞設定部１９６、合成歌唱音生成部１９８、音声源記憶部２００ｂ、識別情報出力部２０２、合成音声出力部２０４、発音制御情報記憶部２０６、音色選択部１９４を含む。ここで、音声源記憶部２００ｂ、音色選択部１９４以外の機能については第１の例で説明したものと同様の機能を有するため、説明を省略する。
【００５９】
音声源記憶部２００ｂには、合成歌唱音の音色が異なる複数種の音声源が記憶されている。それぞれの音声源において、音声素片データは、サンプリングデータ基である人間の歌唱音声又は音声が異なっている。本例における合成歌唱音生成装置１１２は、音声源を選択することで、例えば、男性の音声又は女性の音声で合成歌唱音を生成することができる。
【００６０】
音色選択部１９４の機能は、設定情報受信部１９０で取得した設定情報に基づいて、合成歌唱音生成部１９８に音声源の種別を設定する。なお、本例において、設定情報には、選択された楽曲に適した音声源に関する情報が含まれる。音声源を直接的に特定する識別情報でもよいし、男声／女声などの声の種類や音域を表す情報から間接的に音声源を選択するものでもよい。合成歌唱音生成部１９８は、設定された音声源の種別に基づいて音声源記憶部２００から該当する音声素片データを読み出す。合成歌唱音を生成する処理は第１の例と同様である。
【００６１】
このように、音声源記憶部２００に複数の音声源を記憶させ、設定情報に応じて適宜読み出すようにすることで、合成歌唱音生成装置１１２を演奏してカラオケを楽しむことのできる楽曲のレパートリーを広げることができる。
【００６２】
＜動作の説明＞
図１０は、本実施形態に係る制御用端末装置１０４、合成歌唱音生成装置１１２、カラオケ装置１０２、歌唱合成用サーバ１０８の動作フローを示す。
【００６３】
制御用端末装置１０４は利用者によって操作され、カラオケ装置１０２で演奏する楽曲を選択する操作をする（Ｓ３０２）。制御用端末装置１０４は楽曲が選択されて、楽曲ＩＤが入力されると、その選曲情報（楽曲ＩＤ）がカラオケ装置１０２に送信される。また、同じ選曲情報（楽曲ＩＤ）が歌唱合成用サーバ１０８に送信される。
【００６４】
カラオケ装置１０２は、選曲情報（楽曲ＩＤ）を受信する（Ｓ３０６）。カラオケ装置１０２は選曲情報（楽曲ＩＤ）に基づいて、演奏する楽曲の伴奏音を本体に備えられている記録媒体の中から読み出す。または、カラオケ装置１０２は当該選択された楽曲の伴奏音を再生できるように、カラオケ用サーバ１０６からダウンロードして再生できるように動作する（Ｓ３０８）。
【００６５】
歌唱合成用サーバ１０８は、選曲情報（楽曲ＩＤ）を受信する（Ｓ３１０）。歌唱合成用サーバ１０８は選択情報（楽曲ＩＤ）に基づいて、合成歌唱音生成装置１１２に対する設定情報を選択する（Ｓ３１２）。設定情報には、合成歌唱音生成装置１１２で使用する合成歌唱音生成用歌詞データ、発音制御パラメータに基づく発音制御データが含まれている。歌唱合成用サーバ１０８は、選曲情報（楽曲ＩＤ）に対応する設定情報を制御用端末装置１０４に送信する（Ｓ３１４）。
【００６６】
制御用端末装置１０４は、歌唱合成用サーバ１０８から設定情報を受信する（Ｓ３１６）。制御用端末装置１０４にとってこの動作は、歌唱合成用サーバ１０８から設定情報をダウンロードしたことになる。そして、制御用端末装置１０４は、受信した設定情報を合成歌唱音生成装置１１２に送信する（Ｓ３１８）。
【００６７】
合成歌唱音生成装置１１２は制御用端末装置１０４から設定情報を受信し（Ｓ３２０）、カラオケ装置１０２で伴奏音を再生させるべく選択した楽曲に対する設定情報を設定する（Ｓ３２２）。設定されるデータの種類、内容は上述の通りである。
【００６８】
カラオケ装置１０２で楽曲の伴奏が再生されると（Ｓ３２４）、利用者は合成歌唱音生成装置１１２を操作して、演奏することができる（Ｓ３２６）。本例では、制御用端末装置１０４によって演奏する楽曲が選択されると、合成歌唱音生成装置１１２にはその楽曲の合成歌唱音を演奏するのに適した設定情報が設定される。これにより利用者は、カラオケ装置１０２で再生される伴奏音に合わせて、合成歌唱音生成装置１１２を用いて表情豊かな合成歌唱音を演奏することができる。
【００６９】
本実施形態によれば、利用者は通常の場合と同じように、カラオケ装置１０２に再生させる楽曲を選択し、送信する処理をするだけで、合成歌唱音生成装置１１２にも当該楽曲の伴奏に合わせて演奏する合成歌唱音の設定情報を得ることができる。利用者は、楽曲に合わせてその都度、設定情報を合成歌唱音生成装置１１２に入力する必要がないので、高い利便性を得ることができる。それにより、合成歌唱音生成装置１１２を用いて、気軽に合成歌唱音による演奏を楽しむことができる。
【００７０】
［第２実施形態］
本実施形態は、合成歌唱音生成装置１１２にインストールされている音声源の特性に応じた設定情報を、歌唱合成用サーバから取得する態様を例示する。
【００７１】
＜動作の説明＞
図１１は、本実施形態に係る制御用端末装置１０４、合成歌唱音生成装置１１２、カラオケ装置１０２、歌唱合成用サーバ１０８の動作フローを示す。図１１で示す動作フローは、制御用端末装置１０４が合成歌唱音生成装置１１２に設定されている音声源を特定し、その音声源に適した設定情報を歌唱合成用サーバ１０８から取得する態様を示す。
【００７２】
制御用端末装置１０４は合成歌唱音生成装置１１２から、使用される装置や音声源を特定するための識別情報を取得するための処理を実行する。識別情報は、装置の型番、利用可能な音声源の区別を表すパラメータ等で構成される。例えば、制御用端末装置１０４は合成歌唱音生成装置１１２と通信し、識別情報を問い合わせる（Ｓ３００）。合成歌唱音生成装置１１２は問い合わせがあると、設定されている音声源の情報を制御用端末装置１０４に送信する（Ｓ３０１）。
【００７３】
制御用端末装置１０４は、選曲操作をし（Ｓ３０２）、選曲情報（楽曲ＩＤ）をカラオケ装置１０２に送信する（Ｓ３０４）。また、制御用端末装置１０４は歌唱合成用サーバ１０８に、選曲情報（楽曲ＩＤ）と識別情報を送信する（Ｓ３０５）。
【００７４】
歌唱合成用サーバ１０８は、選曲情報（楽曲ＩＤ）と識別情報を受信する（Ｓ３１０）。歌唱合成用サーバ１０８は選択情報（楽曲ＩＤ）及び識別情報に基づいて、合成歌唱音生成装置１１２に対する設定情報を選択する（Ｓ３１２）。設定情報には、合成歌唱音生成装置１１２で使用する合成歌唱音生成用歌詞データ、合成歌唱音生成装置１１２に設定されている音声源に適した発音制御データが含まれている。例えば、同じ楽曲に対して合成歌唱音を生成して演奏する場合であっても音声源の種類によって、最適なビブラート等のかけ方が異なるので、発音制御データも音声源毎に用意されている。歌唱合成用サーバ１０８は、選曲情報（楽曲ＩＤ）と識別情報に対応する設定情報を制御用端末装置１０４に送信する（Ｓ３１４）。
【００７５】
制御用端末装置１０４は、歌唱合成用サーバ１０８から設定情報を受信する（Ｓ３１６）。以降の処理フローは、図１０で示す場合と同様である。この例によれば、合成歌唱音生成装置１１２は、設定されている音声源の特性に合わせて発音制御データを取得できる。それにより利用者は、その合成歌唱音生成装置１１２を用いて、より表情豊かで自然な合成歌唱音を演奏することができる。
【００７６】
［第３実施形態］
本発明の一実施形態において、合成歌唱音生成装置１１２は電気通信回線に接続し通信を行う機能を有していてもよい。合成歌唱音生成装置１１２が通信機能を有することにより、歌唱合成用サーバと通信して演奏する楽曲に合わせて設定情報を取得することも可能となる。
【００７７】
＜全体構成＞
図１２は、本実施形態に係るカラオケシステム１００ｂの構成を示す。カラオケ装置１０２、制御用端末装置１０４、カラオケ用サーバ１０６、歌唱合成用サーバ１０８は第１実施形態において図１で示すものと同様である。合成歌唱音生成装置１１２はこのようなカラオケシステム１００ｂにおいて、歌唱合成用サーバ１０８と電気通信回線１１０を介して通信を行うことが可能となっている。合成歌唱音生成装置１１２は、歌唱合成用サーバ１０８から設定情報をダウンロードすることで、発音制御パラメータを設定する機能を有する。
【００７８】
＜動作の説明＞
図１３は、本実施形態に係る制御用端末装置１０４、合成歌唱音生成装置１１２、カラオケ装置１０２、歌唱合成用サーバ１０８の動作フローを示す。
【００７９】
制御用端末装置１０４は選曲操作がされ（Ｓ３０２）、選曲情報（楽曲ＩＤ）がカラオケ装置１０２と合成歌唱音生成装置１１２に送信される（Ｓ３０４）。カラオケ装置１０２は、選曲情報（楽曲ＩＤ）を受信し（Ｓ３０６）、選曲情報（楽曲ＩＤ）に対応する楽曲を選択し、記録媒体から取得する処理を適宜実行する（Ｓ３０８）。
【００８０】
合成歌唱音生成装置１１２は選曲情報（楽曲ＩＤ）を受信し（Ｓ３０７）、歌唱合成用サーバ１０８に送信する（Ｓ３０９）。歌唱合成用サーバ１０８は、選曲情報（楽曲ＩＤ）を受信し（Ｓ３１０）、設定情報を選択し（Ｓ３１２）、設定情報を合成歌唱音生成装置１１２に送信する（Ｓ３１４）。合成歌唱音生成装置１１２は、歌唱合成用サーバ１０８から設定情報を受信し（Ｓ３２０）、選択した楽曲に対する設定情報を設定する（Ｓ３２２）。カラオケ装置１０２で楽曲の伴奏が再生されると（Ｓ３２４）、利用者は合成歌唱音生成装置１１２を操作して、演奏することができる（Ｓ３２６）。
【００８１】
本実施形態では、合成歌唱音生成装置１１２が歌唱合成用サーバ１０８と通信をして、選曲情報（楽曲ＩＤ）に対応した設定情報を取得することにより、利用者は通常の場合と同じように、カラオケ装置１０２に再生させる楽曲を選択し、送信する処理をするだけで、合成歌唱音生成装置１１２にも当該楽曲の伴奏に合わせて演奏する合成歌唱音の設定情報を得ることができる。本実施形態によれば、合成歌唱音生成装置１１２に歌唱合成用サーバ１０８と通信する機能を備えることで、既存のカラオケ装置１０２及び当該カラオケ装置１０２に付加される制御用端末装置１０４をそのまま利用することも可能となる。
【００８２】
なお、本実施形態は、第２実施形態と組み合わせて実施することもできる。すなわち、合成歌唱音生成装置に設定されている音声源の特性に応じた設定情報を、合成歌唱音生成装置が歌謡合成用サーバから取得するようにすることもできる。
【００８３】
［第４実施形態］
本発明の一実施形態において、カラオケ装置１０２は電気通信回線１１０に接続し通信を行う機能を有していてもよい。カラオケ装置が通信機能を有することにより、歌唱合成用サーバ１０８と通信して演奏する楽曲に合わせて設定情報を取得することも可能となる。
【００８４】
＜全体構成＞
図１４は、本実施形態に係るカラオケシステム１００ｃの構成を示す。制御用端末装置１０４、合成歌唱音生成装置１１２、カラオケ用サーバ１０６、歌唱合成用サーバ１０８は第１実施形態において図１で示すものと同様である。カラオケ装置１０２はこのようなカラオケシステム１００ｃにおいて、歌唱合成用サーバ１０８と電気通信回線１１０を介して通信を行うことが可能となっている。カラオケ装置１０２は、歌唱合成用サーバ１０８から設定情報をダウンロードすることで、発音制御パラメータを合成歌唱音生成装置１１２に設定することができる。
【００８５】
＜動作の説明＞
図１５は、本実施形態に係る制御用端末装置１０４、合成歌唱音生成装置１１２、カラオケ装置１０２、歌唱合成用サーバ１０８の動作フローを示す。
【００８６】
制御用端末装置１０４は選曲操作がされ（Ｓ３０２）、選曲情報（楽曲ＩＤ）がカラオケ装置１０２に送信される（Ｓ３０４）。カラオケ装置１０２は、選曲情報（楽曲ＩＤ）を受信し（Ｓ３０６）、選曲情報（楽曲ＩＤ）を歌唱合成用サーバ１０８に送信する（Ｓ３０９）。また、カラオケ装置１０２は、選曲情報（楽曲ＩＤ）に対応する楽曲を選択し、記録媒体から取得する処理を適宜実行する（Ｓ３０８）。
【００８７】
歌唱合成用サーバ１０８は、選曲情報（楽曲ＩＤ）を受信し（Ｓ３１０）、設定情報を選択し（Ｓ３１２）、設定情報をカラオケ装置１０２に送信する（Ｓ３１４）。カラオケ装置１０２は、歌唱合成用サーバ１０８から選択情報（楽曲ＩＤ）に対応した設定情報を受信し（Ｓ３１６）、当該選択情報を合成歌唱音生成装置１１２に送信する（Ｓ３１８）。合成歌唱音生成装置１１２は、選択情報（楽曲ＩＤ）に対応した設定情報を受信し（Ｓ３２０）、当該設定情報を設定する（Ｓ３２２）。カラオケ装置１０２で楽曲の伴奏が再生されると（Ｓ３２４）、利用者は合成歌唱音生成装置１１２を操作して、演奏することができる（Ｓ３２６）。
【００８８】
本実施形態では、カラオケ装置１０２が歌唱合成用サーバ１０８と通信をして、曲情報（楽曲ＩＤ）に対応した合成歌唱音生成装置１１２の設定情報を取得することにより、利用者は通常の場合と同じように、カラオケ装置１０２に再生させる楽曲を選択し、送信する処理をするだけで、合成歌唱音生成装置１１２にも当該楽曲の伴奏に合わせて演奏する合成歌唱音の設定情報を得ることができる。本実施形態によれば、カラオケ装置１０２が歌唱合成用サーバ１０８と通信する機能を備えることで、利用者の利便性を向上させることができる。
【００８９】
なお、本実施形態は、第２実施形態と組み合わせて実施することもできる。すなわち、合成歌唱音生成装置に設定されている音声源の特性に応じた設定情報を、合成歌唱音生成装置が歌謡合成用サーバから取得するようにすることもできる。
【００９０】
［第５実施形態］
第１実施形態乃至第４実施形態において、合成歌唱音生成装置１１２に、選択情報（楽曲ＩＤ）に対応する設定情報として、自己又は他の利用者が演奏した過去の設定情報が歌唱合成用サーバ１０８から読み出され、設定されるようにしてもよい。歌唱合成用サーバ１０８に、他の利用者の設定情報がライブラリとして保存され、提供可能な状態に置かれていることで、利用者は、他の利用者の演奏をコピーして、カラオケを楽しむことができる。設定情報は、演奏中に行った操作を表す情報でもよい。この場合、声色やリバーブ等の効果を即興で加えた情報であってもよい。
【００９１】
また、第１実施形態乃至第４実施形態において、合成歌唱音生成装置１１２に設定した設定情報を、歌唱合成用サーバ１０８にアップロードして保存可能とされていてもよい。利用者は、自己が合成歌唱音生成装置１１２に設定した設定情報を、歌唱合成用サーバ１０８に保存しておくことで、例えば、別の機会に同じ楽曲を演奏するときに、過去の設定情報をダウンロードして使用することができる。また、他の利用者に公開して、自己の設定情報を利用してもらうことができる。
【００９２】
本実施形態のように、合成歌唱音生成装置の設定情報を、歌唱合成用サーバに保存して、相互利用を図ることで、同じ楽曲であっても印象の異なる演奏を楽しむことができる。
【符号の説明】
【００９３】
１００・・・カラオケシステム、１０２・・・カラオケ装置、１０４・・・制御用端末装置、１０６・・・カラオケ用サーバ、１０８・・・歌唱合成用サーバ、１１０・・・電気通信回線、１１２・・・合成歌唱音生成装置、１１４・・・制御部、１１６・・・記憶部、１１８・・・操作部、１２０・・・表示部、１２２・・・通信部、１２４・・・信号処理部、１２６・・・入力端子、１２８・・・スピーカ、１３０・・・カラオケ機能、１３２・・・選曲部、１３４・・・伴奏音再生部、１３６・・・歌詞表示部、１３８・・・採点部、１４０・・・制御部、１４２・・・記憶部、１４４・・・操作部、１４６・・・表示部、１４８・・・選択情報送信部、１５０・・・受信部、１５２・・・設定情報送信部、１５４・・・設定制御機能、１５６・・・曲指定部、１５８・・・歌詞データ取得部、１６０・・・設定情報取得部、１６２・・・歌詞データ提供部、１６４・・・設定情報提供部、１６６・・・識別情報取得部、１６８・・・制御部、１７０・・・記憶部、１７２・・・操作部、１７４・・・表示部、１７８・・・通信部、１８０・・・インターフェイス部、１８２・・・演奏操作子、１８４・・・増幅部、１８６・・・スピーカ、１８８・・・合成歌唱音生成機能、１９０・・・設定情報受信部、１９１・・・歌詞データ受信部、１９２・・・発音制御パラメータ設定部、１９４・・・音色選択部、１９６・・・歌詞設定部、１９８・・・合成歌唱音生成部、２００・・・音声源記憶部、２０２・・・識別情報出力部、２０４・・・合成音声出力部、２０６・・・発音制御情報記憶部、２０８・・・演奏操作情報出力部
【図１】
0006578725.tif 000002
【図２】
0006578725.tif 000003
【図３】
0006578725.tif 000004
【図４】
0006578725.tif 000005
【図５】
0006578725.tif 000006
【図６】
0006578725.tif 000007
【図７】
0006578725.tif 000008
【図８】
0006578725.tif 000009
【図９】
0006578725.tif 000010
【図１０】
0006578725.tif 000011
【図１１】
0006578725.tif 000012
【図１２】
0006578725.tif 000013
【図１３】
0006578725.tif 000014
【図１４】
0006578725.tif 000015
【図１５】
0006578725.tif 000016